(57)【要約】【課題】  本発明は、このように従来技術の問題点を解消して、インクリボンプリンタの速度や印字品質の本来の印字性能を損なわず、薬品や転写ローラ等の消耗品を使用することなく、加熱処理等の過大なエネルギーを消費することなく、製作コストを増大すること無く、廃棄物処理として焼却処理を困難にすることなく、使用済み（印字後／印画後）インクリボンに反転印字されている個人情報等を、使用後速やかに（ほぼ同時に）判読不能な状態にするインクリボンプリンタを提供することを課題にする。【解決手段】  インクリボンがインクリボンロールから繰り出されて印刷用紙と同期して搬送され、印刷ヘッドにより印刷画像が印刷された後、使用済みインクリボンが前記印刷ヘッドの下流域に設けた裁断刃付きニップローラによって回収部に搬送されると共に判読不能に裁断されることを特徴とするインクリボンプリンタ。【選択図】        図２
2005305798.tif 000002
【特許請求の範囲】
【請求項１】
インクリボンがインクリボンロールから繰り出されて印刷用媒体としての受容体と同期して搬送され、印刷ヘッドにより印刷画像が印刷された後、使用済みインクリボンが前記印刷ヘッドの下流域に設け複数の刃を搬送方向に配置した裁断手段を有するニップローラによって回収部に搬送されると共に判読不能に裁断されることを特徴とするインクリボンプリンタ。
【請求項２】
前記使用済みインクリボンは前記裁断手段によって搬送方向に裁断されて判読不能にされた後に、巻き取らずにそのまま回収されて廃棄されることを特徴とする請求項１に記載のインクリボンプリンタ。
【請求項３】
前記ニップローラの有する裁断手段は、前記使用済みインクリボンの幅の全域と、特定情報の印刷領域のみとに交換可能にされて裁断されることを特徴とする請求項１又は２に記載のインクリボンプリンタ。
【請求項４】
前記ニップローラの有する裁断手段により裁断される使用済みのインクリボンの裁断幅は、最小文字の大きさより小さい大きさであることを特徴とする請求項１〜３の何れか１項に記載のインクリボンプリンタ。
【請求項５】
前記裁断手段の前記ニップローラを構成するローラ対の各ローラは、両端部が同一外径でそれより小さい小外径部を中間部に有する段付きローラを形成し、一方のローラの前記小外径部に形成される中間の段付き凹部の中を、揺動可能にしたアームを設け、該アームに固定して前記ローラの軸に直角方向に配置した複数の刃としての固定刃と該固定刃を他方のローラの段付き凹部に係るように付勢可能にした付勢手段とを前記アームに設けたことを特徴とする請求項１〜４の何れか１項に記載のインクリボンプリンタ。
【請求項６】
前記裁断手段の前記ニップローラを構成するローラ対の各ローラは、両端部が同一外径でそれより小さい小外径部を中間部に有する段付きローラを形成し、一方のローラの前記小外径部を軸部にしてそれぞれ複数の刃としての丸刃を前記各ローラと回転が一体になるように嵌め込み、各ローラの対応する丸刃同士が互いに刃先近傍を接触可能にしたことを特徴とする請求項１〜４の何れか１項に記載のインクリボンプリンタ。
【発明の詳細な説明】
【技術分野】
【０００１】
本発明は、印字後や印画後の使用済みインクリボンに反転印字されている個人情報等を、使用後速やかに（ほぼ同時に）判読不能な状態にするインクリボンプリンタに関する。
【背景技術】
【０００２】
このような機能を持つインクリボンプリンタについては、様々な方式のものが出願されている。
【０００３】
即ち、例えば、ａ）使用済みのインクリボンを一旦巻き戻して、別の印字を重ねて行い判読不能にするものや、ｂ）特許文献１に示すように使用済みのインクリボンを別の印字ヘッドを用いて、別の印字を重ねて行い判読不能にするものや、ｃ）特許文献２に示すように使用済みインクリボンを巻き取りながら、インク面の反対側より熱を与え溶融したインクを接着剤代わりにして、リボン同士を固着させ判読不能にするものや、ｄ）使用済みインクリボンを鍵付きの箱に収容するものが見られる。
【０００４】
しかしが実用に至ったものは皆無に近い。その原因は、以下のように推測される。
【０００５】
上記ａ）においては、プリンターの印字速度に悪影響を及ぼす。（単純に言えば１／３になる）
上記ｂ）においては、判読不能化用の別の印字ヘッドが必要であり、その分リボンプリンタのコストアップになる。
【０００６】
上記ｃ）においては、確実性に劣る事に加えて、固着した使用済みインクリボンは焼却処理の際に簡単には燃えない。（余分な燃料を必要とするか、不燃物扱いになり環境適性に問題がある）
上記ｄ）においては、確実性に劣る事に加えて、鍵や箱の分プリンターのコストアップになる。
【特許文献１】特開平１０−１８１１３３号公報
【特許文献２】特開平８−１９２５６２号公報
【発明の開示】
【発明が解決しようとする課題】
【０００７】
本発明は、使用済みインクリボンを判読不能にする機能をインクリボンプリンタに保有させるために、上記のような従来技術の問題点を、以下のように解決することを課題にする。
【０００８】
追加する部品は最小限でありかつ低価格であること。
【０００９】
インクリボンプリンタの速度や印字品質の本来の印字性能を損なわないこと。
【００１０】
薬品や転写ローラ等の消耗品を使用しないこと。
【００１１】
加熱処理等の過大なエネルギーを消費しないこと。
【００１２】
廃棄物処理の方法が不燃物扱いになり制約が大きくならないこと。（堅く巻き取られたり、もしくは固着したインクリボンは通常の焼却処理が困難で高温の焼却設備が必要になる）
本発明はこのように従来技術の問題点を解消した上で、使用済み（印字後／印画後）インクリボンに反転印字されている個人情報等を、使用後速やかに（ほぼ同時に）判読不能な状態にするインクリボンプリンタを提供することを目的とするものである。
【課題を解決するための手段】
【００１３】
この目的は次の技術手段（１）〜（６）の何れかによって達成される。
【００１４】
（１）インクリボンがインクリボンロールから繰り出されて印刷用媒体としての受容体と同期して搬送され、印刷ヘッドにより印刷画像が印刷された後、使用済みインクリボンが前記印刷ヘッドの下流域に設け複数の刃を搬送方向に配置した裁断手段を有するニップローラによって回収部に搬送されると共に判読不能に裁断されることを特徴とするインクリボンプリンタ。
【００１５】
（２）前記使用済みインクリボンは前記裁断手段によって搬送方向に裁断されて判読不能にされた後に、巻き取らずにそのまま回収されて廃棄されることを特徴とする（１）項に記載のインクリボンプリンタ。
【００１６】
（３）前記ニップローラの有する裁断手段は、前記使用済みインクリボンの幅の全域と、特定情報の印刷領域のみとに交換可能にされて裁断されることを特徴とする（１）項又は（２）項に記載のインクリボンプリンタ。
【００１７】
（４）前記ニップローラの有する裁断手段により裁断される使用済みのインクリボンの裁断幅は、最小文字の大きさより小さい大きさであることを特徴とする（１）〜（３）項の何れか１項に記載のインクリボンプリンタ。
【００１８】
（５）前記裁断手段の前記ニップローラを構成するローラ対の各ローラは、両端部が同一外径でそれより小さい小外径部を中間部に有する段付きローラを形成し、一方のローラの前記小外径部に形成される中間の段付き凹部の中を、揺動可能にしたアームを設け、該アームに固定して前記ローラの軸に直角方向に配置した複数の刃としての固定刃と該固定刃を他方のローラの段付き凹部に係るように付勢可能にした付勢手段とを前記アームに設けたことを特徴とする（１）〜（４）項の何れか１項に記載のインクリボンプリンタ。
【００１９】
（６）前記裁断手段の前記ニップローラを構成するローラ対の各ローラは、両端部が同一外径でそれより小さい小外径部を中間部に有する段付きローラを形成し、一方のローラの前記小外径部を軸部にしてそれぞれ複数の刃としての丸刃を前記各ローラと回転が一体になるように嵌め込み、各ローラの対応する丸刃同士が互いに刃先近傍を接触可能にしたことを特徴とする（１）〜（４）項の何れか１項に記載のインクリボンプリンタ。
【発明の効果】
【００２０】
本発明により、前述の条件を全て満たしたインクリボンプリンタを実現する事が可能になり、以下の効果が得られる。
（１）個人情報等が反転記載された使用済みインクリボンが、印字直後に判読不可能になる。
（２）裁断されたインクリボンは、可燃物扱いの簡単な焼却処理が可能になる。
（３）使用済みインクリボンを巻き取らないことにより、巻き取り径の変化による張力変化が無くなり、インクリボンロール長を長く取ることが出来るようになる。
【発明を実施するための最良の形態】
【００２１】
以下、本発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００２２】
図１は本発明のインクリボンプリンタ１００が組みこまれる例えば従業員証のようなカード作成装置１の概略構成図であり、所定形状で所定の大きさを有した筐体６０に収納されている。
【００２３】
筐体６０の内部右側にはカードマガジン１１が設けられ、例えば３種類の印刷媒体である受容体として、例えば従業員証用のカード部材３０を収納するようにして使用される。各々のカード部材３０は予め枚葉状にカットされており、顔画像形成領域面を上に向けてストックされている。
【００２４】
もちろん、カード部材３０には電子部品としてのＩＣチップが内蔵されている。第１種類のカード部材３０はホッパーＨＰ１に収納されており、第２種類のカード部材３０はホッパーＨＰ２に収納されており、第３種類のカード部材３０はホッパーＨＰ３に収納されている。発行要求者の従業者証発行条件によってカード部材３０を変えるためである。
【００２５】
ホッパーＨＰ１〜ＨＰ３の下方には図示しない搬送ベルト装置が設けられ、ホッパーＨＰ１、ＨＰ２又はＨＰ３から排出・投下されたカード部材３０をプリント部６７の方へ搬送するようになされる。プリント部６７の下部には搬送ベルト装置１２が設けられ、プリント部６７を構成するＹ色画像形成ユニット１５、Ｍ色画像形成ユニット１６、Ｃ色画像形成ユニット１７、Ｐ色画像形成ユニット３１及び、Ｋ色画像形成ユニット１８にカード部材３０を搬送するようになされる。前述のＹ色画像形成ユニット１５、Ｍ色画像形成ユニット１６、Ｃ色画像形成ユニット１７、Ｐ色画像形成ユニット３１及び、Ｋ色画像形成ユニット１８の各ユニットはそれぞれほぼ同一構造のインクリボンプリンタ１００で構成されている。
【００２６】
搬送ベルト装置１２上のカード部材３０は右側から左側に搬送される間に、Ｙ色画像形成ユニット１５、Ｍ色画像形成ユニット１６及びＣ色画像形成ユニット１７によってカード部材３０の画像形成領域に発行要求者の顔画像が形成され、Ｐ色画像形成ユニット３１及びＫ色画像形成ユニット１８によってカード部材３０の所定領域に発行要求者の氏名や、従業者証発行日などが記録される。
【００２７】
この搬送ベルト装置１２の下流側にはカードリードライト装置１４が設けられ、発行要求者の顔画像情報、文字情報及び個人識別番号ＩＤが従業者証内のＩＣチップに書き込まれる。カードリードライト装置１４の下方にはカード落下部４６が設けられ、情報記録済みのカード部材３０の顔画像形成領域面を上に向けて落下するように姿勢が制御され、そのカード部材３０が下方のホットスタンパーＨＳ１に導かれる。
【００２８】
このカード落下部４６の途中には廃棄カードストッカー５６が設けられ、画像形成不良に係るカード部材３０を排出するようになされる。ホットスタンパーＨＳ１ではカード部材３０にフィルム状の保護シート５１が供給されてカード券面を保護される。この例で保護シート５１にはラミネートフィルムをロール状に巻き取ったものが備えられ、そのラミネートフィルムは一方の面に図示しない接着シートを有している。もちろん、保護シート５１にはラミネートフィルムを枚葉状に積層したものを使用してもよい。
【００２９】
また、保護シート５１はラミネートフィルムに限定されることはなく、ホットスタンプフィルムをロール状に巻き取ったもの、又は、ホットスタンプフィルムをカットシート状に積層されたものも使用できる。ホットスタンパーＨＰ１には真空熱プレス装置５２が設けられ、カード落下部４６からのカード部材３０とホットスタンパーＨＰ１からの保護シート５１とを受け、そのカード部材３０とその保護シート５１とが図示しない接着シートを介して張り合わされる。この際に、接着シート上の紙シートは剥離され、カス紙として巻き取られる。
【００３０】
この真空熱プレス装置５２は搬送路上に配置された平型のプレス部を有しており、保護シート５１の上方から所定の圧力が加えられる。そのために、プレス部が上下方向に移動できるようになされている。このプレス部には電気ヒータ（図示せず）が設けられ、保護シート５１及びカード部材３０を所定の温度に加熱するようになされている。
【００３１】
この例では接着シートの種類にもよるが加熱温度は４０℃〜１２０℃程度であり、加熱時間は１０秒〜１２０秒程度である。この接着シートは熱を加えると溶融し、それが冷えると固化するものである。保護シート５１を加熱貼合する装置は真空熱プレス装置５２に限られることはなく、通常の熱プレスでも、ヒートローラ装置であってもよい。
【００３２】
また、真空熱プレス装置５２の下流側には冷却部５３が設けられ、加熱貼合されたカード部材３０が冷却される。冷却部５３にはメインフィルタ５４が取り付けられており、このメインフィルタ５４によって冷却空気を清浄化するようになされる。このホットスタンパーは１機に限られることはなく、図１に示すようにホットスタンパーＨＳ１の後段にホットスタンパーＨＳ２を設け、カード部材３０にホログラムシート等を形成するようにしてもよい。これにより完成した顔画像及び文字画像入り、情報記録済み、保護シート付きの従業者証３０はカードストッカー５７に収納される。
【００３３】
また、筐体６０には操作パネル５９が設けられ、例えば、発行要求者のパスワードを入力するようになされる。このパスワードは記号やローマ字等をそのまま使用したり、また、これらを組み合わせて使用される。パスワードを情報読出し時の「鍵」として使用するためである。これは発行要求者本人がカード部材３０のＩＣチップに記録されたデータを他人に読まれたくない場合に対処するようにしたためである。この場合にＩＣチップにパスワードを比較基準値として記録しておく必要があるからである。もちろん、操作パネル５９ではカード部材３０の画像形成時に操作情報も入力される。
【００３４】
この筐体６０内にはカードマガジン１１、プリント部６７、カードリードライト装置１４、廃棄カードストッカー５６、ホットスタンプＨＳ１、カードストッカー５７の他に、電源部５８、ＭＰＵラック６８及びブレーカー６９が設けられている。電源部５８ではＭＰＵラック６８やブレーカー６９等に接続されており、プリント部６７、カードリードライト装置１４、ホットスタンプＨＳ１及びＭＰＵラック６８等に電源を供給するようになされる。
【００３５】
次に例えば上記カード作成装置１に組みこまれているような、本発明のインクリボンプリンタ１００について図を用いて説明をする。
【００３６】
図２（ａ）はインクリボンプリンタ１００の正面図であり、図２（ｂ）その側面図であり、図３ははインクリボンプリンタ１００のニップローラ部に裁断機構として固定刃を設けた場合の正面図であり、図４はその側面図である。また、図５はインクリボンプリンタ１００のニップローラ部に裁断機構として回転刃を設けた場合の側面図である。
【００３７】
印字及び印画が施される印刷媒体である受容体の用紙として、例えばカード部材３０が搬送ベルト１２上を搬送されて、印刷部１２０を構成するプラテンロール１２１と印字及び印画を行うヘッド１２２の間に至ると、それと同期してインクリボンロール１１０から繰り出されるインクリボン１１１によって前記カード部材３０は印字及び印画がなされ、次の工程に進むが、一方使用済みのインクリボン１１２は裁断手段を配したニップローラ部１３０によってセキュリティ域幅又は全幅が縦方向に細かく裁断され、裁断されたインクリボンである細片リボン１１３はリボン回収部１４０の回収ボックス１４１内に貯留される。このようにセキュリティの心配の解消された使用済みのインクリボンである細片リボン１１３は取っ手によって扉１４２が開けられ適時業者へ引き渡し処分を依託することができる。
【００３８】
尚、裁断機構付きのニップローラ部１３０の固定刃を用いるタイプのものには、図３、図４に示すようにインクリボンをお互いに押圧して搬送する一対のローラ１３１及び１３２が設けられ、その各ローラ１３１，１３２の中間部には間隙Ｄの段付き凹部が設けられ、ローラ１３１Ａ及び１３１Ｂを軸部１３１Ｄに対して同心同径にしてあり、同様にローラ１３２Ａ及び１３２Ｂを軸部１３２Ｄに対して同心同径にしてある。そして軸部１３１Ｄに形成される段付き凹部の中を、支軸１３４Ａのまわりに回動して揺動可能にしたアーム１３４に、インクリボン搬送方向に並べて植えられた複数の固定刃１３３をバネ１３４Ｂによってアーム１３４を介して付勢して、使用済みインクリボン１１２を中間部の段付き凹部の間隔Ｄ間で細かく裁断して細片リボン１１３にしてセキュリティの確保ができるようにしてある。間隔Ｄは少なくとも必要なセキュリティ幅にしてある。
【００３９】
同様に裁断機構付きニップローラ部１３０の回転刃（丸刃）を用いるタイプのものには図５に示すようにインクリボンをお互いに押圧して搬送する一対のローラ１３１及び１３２が設けられ、その各ローラ１３１，１３２の中間部に間隙Ｄが設けられ、ローラ１３１Ｅ及び１３１Ｆを軸部１３１Ｄに対して同心同径にしてあり、同様にローラ１３２Ｅ及び１３２Ｆを軸部１３２Ｄに対して同心同径にしてある。そして複数の回転刃（丸刃）１３６とそれらに噛み合う複数の回転刃（丸刃）１３７が設けられている。この回転刃によって使用済みインクリボン１１２を中間部の段付き凹部の間隔Ｄ間で細かく裁断して細片リボン１１３にしてセキュリティの確保ができる。間隔Ｄは少なくとも必要なセキュリティ幅にしてある。
【００４０】
裁断機構はインクリボン巾の全域に渡って施されても良いし、個人情報等の判読不能化すべき情報の印字域が決まっている場合にはその部分だけに施されても構わない。
【００４１】
断裁されたインクリボンの寸法は、判読不能になるために必要な大きさである必要がある。文字であれば文字の高さより小さな寸法であるべきである。
【００４２】
尚、インクリボンは熱転写型のプリンタに用いるものであり、１０μｍ以下程度の薄いＰＥＴベースの表面に熱溶融型の顔料を１０μｍ以下程度の厚さに塗布してできているものと、昇華型の染料を同じく１０μｍ以下程度の厚さに塗布してできているものとがある。前者のインクは受容体としての例えばカード部材表面に移り熱溶着固結するものであり、昇華型の染料からなる後者のインクは、加熱により昇華して受容体としての例えばカード部材表面層の中に染みこみ印刷できるようにしてある。昇華型の染料からなる後者のインクは特に画像の再現性に優れている。本発明に使用するインクは上記の何れにも適用可能である。
【図面の簡単な説明】
【００４３】
【図１】本発明のインクリボンプリンタが組みこまれる例えば従業員証のようなカード作成装置の概略構成図である。
【図２】（ａ）は本発明のインクリボンプリンタの正面図であり、ｂ）その側面図である。
【図３】本発明のインクリボンプリンタのニップローラ部に裁断機構として固定刃を設けた場合の正面図である。
【図４】図３の側面図である。
【図５】本発明のインクリボンプリンタのニップローラ部に裁断機構として回転刃を設けた場合の側面図である。
【符号の説明】
【００４４】
１  カード作成装置
１１  カードマガジン
１２  搬送ベルト装置
１４  カードリードライト装置
１５  Ｙ色画像形成ユニット
１６  Ｍ色画像形成ユニット
１７  Ｃ色画像形成ユニット
１８  Ｋ色画像形成ユニット
３０  カード部材
５９  操作パネル
１００  インクリボンプリンタ
１１０  インクリボンロール
１１１  インクリボン
１１２  使用済みのインクリボン
１２０  印刷部
１２１  プラテンロール
１２２  印刷ヘッド
１３０  裁断手段付きニップローラ
１３１，１３２，１３１Ａ，１３１Ｂ，１３２Ａ，１３２Ｂ，１３１Ｅ，１３１Ｆ，１３２Ｅ，１３２Ｆ  ローラ
１３１Ｄ，１３２Ｄ  軸部
１３３  固定刃
１３６，１３７  回転は（丸刃）
１４０  リボン回収部
１４１  回収ボックス
１４２  扉
【図１】
2005305798.tif 000003
【図２】
2005305798.tif 000004
【図３】
2005305798.tif 000005
【図４】
2005305798.tif 000006
【図５】
2005305798.tif 000007